(57)【要約】【課題】プライバシー機能の対象として登録した特定相手からのメールを識別し、利用者が登録した暗証情報を入力することにより該当するメール本文を表示できるようにする。【解決手段】携帯電話１０は、メール処理制御部３０と、特定文字列検出処理部３１と、暗証検出処理部３２と、を備え、メール処理制御部３０は、プライバシー設定の対象となるメールを特定する特定の文字列の情報と、暗証情報と、を記憶し、特定文字検出処理部３１は、メール本文における前記特定文字列を検出し、メール処理制御部３０は、該特定文字列を検出したメールに対応するメール一覧には、プライバシー設定の対象であることを示すフラグ情報を付加して保存し、フラグ情報が付加されたメール本文の表示に際して、メール処理制御部３０は暗証情報の入力を要求し、暗証検出処理部３２が入力された暗証情報の一致を検出した場合、フラグ情報が付加されたメールを表示部２３に表示する。【選択図】  図１
2009258851.tif 000002
【特許請求の範囲】
【請求項１】
特定の文字列を設定してプライバシー設定を有効にして該特定の文字列を検出したメール本文の表示を秘匿するプライバシー設定機能を有する通信装置であって、
前記通信装置は、メール処理制御部と、特定文字列検出処理部と、暗証検出処理部と、を備え、
前記メール処理制御部は、プライバシー設定の対象となるメールを特定する特定の文字列の情報と、暗証情報と、を記憶し、前記特定文字検出処理部は、送信メールまたは受信メールの両方または何れか一方のメール本文における前記特定文字列を検出し、前記メール処理制御部は、該特定文字列を検出したメールに対応するメール一覧には、プライバシー設定の対象であることを示すフラグ情報を付加して保存し、
前記フラグ情報が付加されたメール本文の表示に際して、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記メール表示制御部は、前記フラグ情報が付加されたメールを表示部に表示することを特徴とする通信装置。
【請求項２】
前記メール表示制御部は、メール一覧表示が要求された場合、前記フラグ情報が付加されたメールを前記メール一覧から除いて表示し、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記メール表示制御部は、前記フラグ情報が付加されたメールを含むメール一覧を表示部に表示することを特徴とする請求項１に記載の通信装置。
【請求項３】
前記メール表示制御部は、メール一覧表示が要求された場合、前記フラグ情報が付加されたメールを含むメール一覧を表示し、前記メール一覧から該フラグ情報が付加されたメールを選択してメール本文の表示が要求された場合、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記選択されたメールを表示部に表示することを特徴とする請求項１に記載の通信装置。
【発明の詳細な説明】
【技術分野】
【０００１】
本発明は、通信装置における電子メールの着信履歴やメール本文の秘匿機能に関するものであり、特に、通信装置の利用者が電子メールの秘匿機能であるプライバシー設定を有効にした場合に、特定の文字列を設定することによりプライバシー設定の対象の受信メールや送信メールを区別し、該メールを表示する際に、第３者にはそれとわからない暗証情報による照合を経てメール本文を表示するようにした通信装置に関するものである。
【背景技術】
【０００２】
近年の情報処理技術、通信技術の発展に伴い種々の携帯型の情報通信端末装置（以下、携帯端末装置という）が広く普及している。このような携帯端末装置により、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、通信装置（例えば、携帯電話）のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、自動販売機、交通機関やコンビニエンスストアなどの代金決済など、様々なサービスを受けることができるようになってきている。特に携帯電話においては種々のオプションやアプリケーションが搭載可能であり、利用できるサービスの種類も豊富になってきている。
【０００４】
また、第３世代と称される携帯電話にはＧＰＳ受信機が搭載され、携帯電話自体が位置する現在位置（緯度・経度）を測定することができ、携帯電話を端末装置としたナビゲーションシステムも実用化されている。このような測位システムを利用して、高齢者や児童などの位置確認や、犯罪や火災などの事件、事故における通報時の位置確認などに利用できるシステムも種々検討されている。
【０００５】
更に、利用者は、サービス事業者が提供するブラウザやアプリケーション、ゲームソフトのように携帯電話用として開発された様々なアプリケーションなどを自身が所有する携帯電話にインストールして所望のサービスや機能を追加するためカスタマイズすることができる。
【０００６】
携帯電話の主要な機能は通話機能であるが、通話に変わる手段としてインターネットを利用した電子メール（以下、単にメールと称する）を他用する利用者は多い。これは通話料金に対して、インターネットを利用したデータ通信料金が低くまた、料金の定額化が定着したこと、メールの場合には送信者と受信者との間の回線接続が必要なく、送受信者の双方が任意に都合のよい時にメール送受信操作をすることができることなどの理由による。
【０００７】
一般的な携帯電話においては、メール送受信機能を指定し、着信した受信メールを表示部に表示して内容を読むことができる。また、メール送信時にはメール作成機能を選択してメール作成画面を表示し、メール宛先や本文を入力した後、送信操作をすることによって所望の相手先にメールを送信することができる。また、送受信メールは、着信履歴、発信履歴としてリスト化され、利用者はいつでもこれらの履歴を参照して所望のメール本文を表示させることができる。
送信メールや受信メールは削除処理を行わない限り記憶容量の範囲内でメール記憶部に自動的に保存され、また、送信メール一覧や受信メール一覧もメール記憶部に保存される。利用者はこれらのメール一覧から任意のメールを選択し、メール本文を表示部に表示することもできる。
【０００８】
メールによる通信においては、利用者が受信したメールに対して返信機能を利用してメール本文を作成し、返信メールを相手方に送信することも多い。通常受信メールを表示部に表示した状態で、メール返信機能を指定すると、返信メール作成画面に切り替わり、利用者はこの返信メール作成画面にメール本文を入力する。
【０００９】
返信メール作成画面でメール本文を作成した後、送信操作すれば、送信先アドレスや送信先の氏名等に受信メールの送信者のアドレスや氏名が自動的に設定され、返信メールを相手方に送信することができる。
【００１０】
ところで、携帯電話が盗難にあったり、置き忘れや紛失した場合、第３者による携帯電話の不正使用や携帯電話内に蓄積された個人情報が流失して悪用される恐れがある。このため、携帯電話には操作入力をロックする機能が用意されており、利用者が設定したパスワードを入力して操作入力のロックを解除してからでなければ操作できないようにされている。
【００１１】
また、個人情報を秘匿するための機能としてプライバシー設定が可能であり、プライバシー設定を有効（オン）にするとメール機能がロックされ、更に、携帯電話に入力、蓄積されている個人情報の参照がロックされる。利用者はメール機能を利用したり、個人情報を参照したりする場合には、パスワードなどを入力してプライバシー設定を解除する。
【００１２】
プライバシー設定機能を有する携帯電話は、例えば、下記の特許文献１（特開２００５−１１５４９２号公報）や特許文献２（特開２００６−４０１３７号公報）などに開示されている。
【００１３】
この特許文献１に開示された携帯電話の発明は、フォルダごとにセキュリティを設定し、セキュリティを設定したフォルダは、表示上見えなくし、プライバシーの保護をするようにしたものであり、受信メール保存用の受信フォルダが複数個備えられ,セキュリティ処理用の暗証番号を、記憶部に保存しておき、メニューキーを操作し、「セキュリティ設定・解除」画面を表示部に表示させ、暗証番号を入力し、スクロールキーにより受信フォルダを選択し、「セキュリティ設定・解除用受信フォルダ一覧」を表示させる。
【００１４】
受信フォルダ番号にマークが付けられ、通常の「受信フォルダ一覧」では、このセキュリティ処理された受信フォルダ番号は非表示となり、セキュリティ処理を解除する場合は、「セキュリティ設定・解除」画面を表示させ、暗証番号を入力し、受信フォルダを選択するように構成されている。「セキュリティ設定・解除用受信フォルダ一覧」には、セキュリティ処理された受信フォルダ番号にマークが付いて表示されるようになっている。
【００１５】
また、特許文献２に開示された携帯電話の発明は、メール情報を受信する手段と、受信したメール情報に含まれる送信者の情報と予め設定されている情報とを照合する手段と、メール情報に含まれる送信者の情報が予め設定されている情報に一致したときに、暗号鍵を生成する手段と、受信したメールの表示要求があったときに、生成された暗号鍵に基づいて、受信したメールを暗号化する手段と、暗号化されたメールを表示する手段とにより、メールの送信者が予め設定した特定の人である場合には、送信されたメールの内容を受信側で暗号化するように構成されたものである。
【００１６】
また、下記の特許文献３（特開２００１−２４９８６０号公報）には、メールの受信側で特定の文字列を検出し当該メールの優先度を識別して、メールの優先度を表示するようにした通信端末装置の発明が開示されている。
【００１７】
この特許文献３に開示された通信端末装置は、字句解析処理部は、メール受信制御部から送られた電子メールより文字情報を取得し、メール処理動作制御部は、検索対象となるキーワードの記憶位置を示す添字を字句解析処理部に通知し、字句解析処理部は、取得した文字情報を検索し、検索対象となるキーワードが含まれているか否かを判別し、字句解析処理部は、判別結果をメール処理動作制御部に通知するように構成され、文字情報にキーワードが含まれていると、メール処理動作制御部は、キーワードに対応する通報動作、例えば、メールの優先度を表示するものである。このような構成によりメール送信側でメールの優先度を指定しなくても、メールの受信側で優先度を判別して、メール処理をすることができるようになる。
【特許文献１】特開２００５−１１５４９２号公報
【特許文献２】特開２００６−４０１３７号公報
【特許文献３】特開２００１−２４９８６０号公報
【発明の開示】
【発明が解決しようとする課題】
【００１８】
一般に電子メールに関するプライバシー機能の設定は、特定の相手方の電子メールアドレス等を登録し、当該登録したメールアドレスからメールを受信した際には、着信報知を行わず、利用者がプライバシー設定を解除しないと着信メール一覧にも表示されないように構成されている。また、受信メール記憶部に記憶されたメール本文も表示されないようになっている。
【００１９】
上記特許文献１や特許文献２によれば、暗証番号を用い、あるいは、暗号化、複号化処理を用いることにより、受信メール一覧やメールの受信フォルダごとに第３者からメール本文が参照されないようにすることはできるが、プライバシー設定の対象とするメールは特定のメールアドレスを対象として設定されるものであるから、メール本文の内容によって、プライバシー設定の対象メールとするようなことはできない。例えば、メールの表題を含むメール本文に「社外秘」や「商談」など、第３者に秘匿するメール内容のカテゴリを対象にプライバシー設定することはできない。
【００２０】
上記特許文献３に開示された通信端末装置によれば、メール本文中の文字列によりメールの優先度を判別することはできるが、プライバシー設定に関して考慮されたものではなく、上記問題点を解消するために用いることができないという問題点があった。仮に、特許文献３の技術を適用してプライバシー対象のメールを識別するために、メール本文中の特定文字列を設定するとした場合でも、該当するメール本文を参照しようとする場合、その都度プライバシー設定を解除しなければならず、手間がかかるという問題点があった。
【００２１】
本願の発明者は上記の問題点を解消すべく種々検討を重ねた結果、プライバシー設定を有効にした場合に、特定の文字列を検出することにより、プライバシー機能の対象として登録した特定相手からメールを識別し、利用者が登録した暗証情報を入力することにより該当するメール本文を表示するようになせば上記の問題点を解消し得ることに想到して本発明を完成するに至ったものである。
【００２２】
すなわち、本発明は、上記の問題点を解消することを課題し、プライバシー設定を有効にした場合に、特定の文字列を検出することにより、プライバシー機能の対象として登録した特定相手からのメールを識別し、利用者が登録した暗証情報を入力することにより該当するメール本文を表示できる携帯電話を提供することを目的とするものである。
【課題を解決するための手段】
【００２３】
前記課題を解決するために、本願の請求項１にかかる発明は、特定の文字列を設定してプライバシー設定を有効にして該特定の文字列を検出したメール本文の表示を秘匿するプライバシー設定機能を有する通信装置であって、前記通信装置は、メール処理制御部と、特定文字列検出処理部と、暗証検出処理部と、を備え、前記メール処理制御部は、プライバシー設定の対象となるメールを特定する特定の文字列の情報と、暗証情報と、を記憶し、前記特定文字検出処理部は、送信メールまたは受信メールの両方または何れか一方のメール本文における前記特定文字列を検出し、前記メール処理制御部は、該特定文字列を検出したメールに対応するメール一覧には、プライバシー設定の対象であることを示すフラグ情報を付加して保存し、前記フラグ情報が付加されたメール本文の表示に際して、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記メール表示制御部は、前記フラグ情報が付加されたメールを表示部に表示することを特徴とする。
【００２４】
また、本願の請求項２にかかる発明は、請求項１にかかる通信装置において、前記メール表示制御部は、メール一覧表示が要求された場合、前記フラグ情報が付加されたメールを前記メール一覧から除いて表示し、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記メール表示制御部は、前記フラグ情報が付加されたメールを含むメール一覧を表示部に表示することを特徴とする。
【００２５】
また、本願の請求項３にかかる発明は、請求項１にかかる通信装置において、前記メール表示制御部は、メール一覧表示が要求された場合、前記フラグ情報が付加されたメールを含むメール一覧を表示し、前記メール一覧から該フラグ情報が付加されたメールを選択してメール本文の表示が要求された場合、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記選択されたメールを表示部に表示することを特徴とする請求項１に記載の通信装置。
【発明の効果】
【００２６】
請求項１にかかる発明においては、通信装置は、メール処理制御部と、特定文字列検出処理部と、暗証検出処理部と、を備え、前記メール処理制御部は、プライバシー設定の対象となるメールを特定する特定の文字列の情報と、暗証情報と、を記憶し、前記特定文字検出処理部は、送信メールまたは受信メールの両方または何れか一方のメール本文における前記特定文字列を検出し、前記メール処理制御部は、該特定文字列を検出したメールに対応するメール一覧には、プライバシー設定の対象であることを示すフラグ情報を付加して保存し、前記フラグ情報が付加されたメール本文の表示に際して、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記メール表示制御部は、前記フラグ情報が付加されたメールを表示部に表示する。
【００２７】
かかる構成によれば、プライバシー機能の対象として登録した特定相手からメールを識別し、利用者が登録した暗証情報を入力することにより該当するメール本文を表示できるようになる。また、このメールを参照する際にプライバシー設定を解除する手間を不用とすることができるようになる。
【００２８】
請求項２にかかる発明においては、請求項１にかかる通信装置において、メール表示制御部は、メール一覧表示が要求された場合、前記フラグ情報が付加されたメールを前記メール一覧から除いて表示し、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記メール表示制御部は、前記フラグ情報が付加されたメールを含むメール一覧を表示部に表示する。
【００２９】
かかる構成によれば、プライバシー設定の対象としたメールについて、メール一覧に表示する際に、暗証情報の一致を照合した上でプライバシー設定の対象であるメールをメール一覧に加えて表示するから、第３者に対して該当メールの存在を秘匿することができるようになる。
【００３０】
請求項３にかかる発明においては、請求項１にかかる通信装置において、メール表示制御部は、メール一覧表示が要求された場合、前記フラグ情報が付加されたメールを含むメール一覧を表示し、前記メール一覧から該フラグ情報が付加されたメールを選択してメール本文の表示が要求された場合、前記メール処理制御部は前記暗証情報の入力を要求し、前記暗証検出処理部は、入力された暗証情報と、前記メール処理制御部に記憶された暗証情報とを比較し、暗証情報の一致を検出した場合、前記選択されたメールを表示部に表示する。
【００３１】
かかる構成によれば、プライバシー機能の対象として登録した特定相手からメールを識別し、利用者が登録した暗証情報を入力することにより該当するメール本文を表示できるようになる。また、このメールを参照する際にプライバシー設定を解除する手間を不用とすることができるようになる。
【発明を実施するための最良の形態】
【００３２】
以下、本発明の具体例を実施例及び図面を用いて詳細に説明する。但し、以下に示す実施例は、本発明の技術思想を具体化するための通信装置を例示するものであって、本発明をこの通信装置に特定することを意図するものではなく、特許請求の範囲に含まれるその他の実施形態の通信装置にも等しく適用し得るものである。
【実施例】
【００３３】
図１は、本発明の実施例にかかる通信装置（例えば携帯電話）１０の構成を示すブロック図、図２は、図１の携帯電話１０の外観を示す外観図である。
【００３４】
携帯電話１０は、通話部１１と本発明にかかる機能制御部２１から構成されている。通話部１１は、マイク１２とスピーカ１３と無線部１４とから構成されている。無線部１４は、アンテナ、送受信回路、変復調回路、圧縮伸長回路、音声コーデック等を含んでおり、該無線部１４を介してマイク１２から入力された音声を音声信号として送信し、通話の相手方の音声信号を受信してスピーカ１３に出力する。
【００３５】
機能制御部２１は、主制御部２２、表示部２３、操作部２４、受信メール記憶部２５、送信メール記憶部２６、メール一覧記憶部２７、メール表示制御部２８、表示メモリ２９、メール処理制御部３０、特定文字列検出部３１、暗証検出処理部３２などを備えて構成されている。主制御部２２は、マイクロコンピュータ、ＲＡＭ、ＲＯＭ等からなりコンピュータ装置として機能し、無線部１４および機能制御部２１の上記各部を制御する。
【００３６】
図２は、図１に示す携帯電話１０の外観を示す図である。携帯電話１０は液晶表示ユニットなどで構成された表示部２３と操作部２４とを備えており、操作部２４には通話キー２４１と機能選択キー２４３と複数のテンキー２４５が設けられ、また、参照番号を付していないモードキーや表示部２３に表示された画面の特定表示画像を操作するためのカーソルキーなどを備えている。
【００３７】
表示部２３、操作部２４は、携帯電話１０における通話のための表示および操作の他に、インターネット網を介したデータ通信のための操作および表示にも使用される。操作部２４は、通話時に電話番号入力をするため、また、電子メールをはじめとするインターネット網を介した各種のデータ通信サービスを利用するために所望の文字列を入力するために使用される。例えば、メール受信機能を起動している場合には、操作部２４は当該携帯電話１０に着信したメールを受信し、表示部２３は受信したメールを表示するために使用される。また、待ち受け画面において、メール着信があった場合にはメールの着信報知が行われる。
【００３８】
操作部２４には、通話キー２４１、機能選択キー２４３、テンキー２４５が設けられ、通話時にはテンキー２４５を操作して電話番号を入力し、通話キー２４１を操作すると発信できる。また、テンキー２４５には英数字、カタカナ、ひらがなの文字が割り当てられ、図示していない英数カナ変換制御部により文字コード変換が行われる。文字コード変換は、入力モードが英数カナモードか、あるいは、かな漢字変換モードであるかによりそれぞれ操作されたキーに応じた入力文字コードに変換される。機能選択キー２４３は携帯電話１０の所定の機能を有効にするキーであり、メーカー、機種によりこのキーに割当てられる機能は異なる。
【００３９】
メール処理制御部３０は、送信メールや受信メールの処理を行う。受信メール記憶部２５には、携帯電話１０が受信したメールが記憶（保存）され、送信メール記憶部２６には携帯電話１０から送信したメールが記憶（保存）される。メール一覧記憶部２７には、受信メールの一覧データおよび送信メールの一覧データが記憶される。メール表示制御部２８は、受信メール記憶部２５や送信メール記憶部２６に記憶された個々のメールやメール一覧記憶部２７に記憶された受信メール一覧や送信メール一覧を表示部２３に表示する制御を行う
図３、図４は、メール一覧記憶部２７に記憶される受信メール一覧、送信メール一覧のデータ構成を示す図である。受信メール一覧には、図３に示すように新しいメールから順にメールＩＤが付され、送信者／アドレス（メールアドレス）、メールの表題、受信日時が記憶され、メールがプライバシー設定の対象であるか否かを示すフラグ情報が記憶される。フラグ情報は「１」がプライバシー設定の対象メール、「０」がプライバシー設定の対象外メールであるものとする。以下の説明において、フラグを「オン」にするとはフラグ情報を「１」にすることを示し、フラグを「オフ」するとはフラグ情報を「０」にすることを指すものとする。
【００４０】
携帯電話１０の利用者が操作部２４を用いてメールのプライパシー設定をする場合、機能選択キー２４３によりプライバシー機能を有効（オン）にする。そして、プライバシー設定の処理の対象にするメールの相手方を設定する。この設定は、一般的には相手方のメールアドレスアドレスを設定するが、本発明においては、メール本文中の特定の文字列、例えば、名前や愛称あるいは相手方との間で決定した特定のキーワードなどの文字列を設定することもできる。これらの設定はプライバシー設定の対象のメールを参照する際の暗証情報とともに、メール処理制御部３０に記憶される。
【００４１】
メール本文にはメールの表題を含み、特定文字列とは、例えば、「社外秘」、「商談」など第３者に秘匿する文書内容を表す文字列の他、ハートの絵文字や、相手方との間で取り決めた文字列や記号等を含むものとする。携帯電話１０の利用者は、プライバシー設定の対象とするメールに関する上記のような特定文字列を登録する。登録された特定の文字列のデータはメール処理制御部３０に記憶される。また、プライバシー設定の対象とするメールを参照する際の暗証情報を登録する。登録された暗証情報も特定文字列と同様にメール処理制御部３０に記憶される。
【００４２】
携帯電話１０がメールを受信すると、特定文字列検出部３２は受信メールの送信元アドレス、メール本文からメール処理制御部３０に記憶した特定文字列が含まれているか否かを検出する。特定文字列が検出されると、受信したメールがプライバシー設定の対象のメールであることがわかる。特定文字列の検出は、上記の特許文献３に開示された技術を適用することができる。
【００４３】
受信したメールがプライバシー設定の対象のメールであることがわかると、メール処理制御部３０は、受信メール記憶部２５にメールを記憶し、また、メール一覧記憶部２７の受信メール一覧に記憶する場合、該当するメールがプライバシー対象のメールであることを示すフラグ情報を付加して記憶する（図３参照）。これに基づいてメール表示制御部２８は、メールやメール一覧を表示部２３に表示する際に、プライバシー設定が有効である場合には、フラグ情報が付加されたメールの表示を禁止する制御を行う。フラグ情報の付加は、プライバシー設定対象の相手方に対する送信メールに対しても同様に行い、送信メールやその一覧の表示を制限するように構成しておく。
【００４４】
一方、携帯電話１０の利用者がプライバシー設定の対象メールを参照する場合、登録した暗証情報を入力する。暗証検出処理部３２は入力された暗証情報とメール処理制御部３０に記憶された登録済の暗証情報とを照合し、暗証情報が一致すれば、メール表示制御部２８は、メール一覧記憶部２７に記憶された受信メール一覧をリスト表示する際、フラグ情報「１」が付加されたプライバシー設定の対象メールを加えて表示部２３に表示する。
【００４５】
メール表示部２３に表示された受信メール一覧リストから利用者が参照したいメールを選択すると、メール表示制御部２８は選択されたメールを受信メール記憶部２５から読み出して表示部２３に表示する。この際、選択されたメールがフラグ情報の付加されたメールであっても、暗証情報の照合が済んでいるので表示することができる。送信メールについても同様である。
【００４６】
図６は、以上説明した本発明の実施例にかかる携帯電話１０におけるメールの着信報知の手順の一例を示すフローチャートである。
【００４７】
携帯電話１０がステップＳ１０１の処理でメールを受信すると、特定文字列検出部３２はステップＳ１０２の処理で受信メールのメール本文（メール表題を含む）の文字列を解析し、メール処理制御部３０に記憶された特定文字列が含まれているか否かを検出する。ステップＳ１０２の判別処理において、特定文字列が検出されると、受信したメールがプライバシー設定の対象のメールであることがわかる。
【００４８】
受信したメールがプライバシー設定の対象のメールであると、メール処理制御部３０は受信メールを受信メール記憶部２５に保存するとともにメール一覧記憶部２７の受信メール一覧に受信メールの情報を記憶する（図３参照）。その際、プライバシー設定の対象であることを示すフラグ情報を付加して記憶する処理を行う。
【００４９】
一方、受信メールに特定文字列が含まれない場合、メール処理制御部３０は受信メールを受信メール記憶部２５に保存するとともにメール一覧記憶部２７の受信メール一覧に受信メールの情報を記憶する（図３参照）。その際、プライバシー設定の対象であることを示すフラグ情報を付加しない。
【００５０】
次に、ステップＳ１０５でメール表示制御部２８は、メール一覧表示の要求があるか否かを判別する。メール一覧の要求がなければ、ステップＳ１０１の処理に戻り、メール一覧表示の要求があれば、メール処理制御部３０はステップＳ１０６の処理で暗証情報の入力を要求する。ステップＳ１０７の判別処理で暗証情報の入力があるか否かを判別し、暗証情報の入力がなければ、ステップＳ１１２の処理に進み、メール表示制御部２８は、通常のメール一覧リスト（プライバシー設定対象のフラグ情報を持たないメールの一覧リスト）を表示部２３に表示する。
【００５１】
ステップＳ１０７の判別処理で、暗証情報の入力を判別すると、暗証検出処理部３０はステップＳ１０８の処理でメール処理制御部３０に記憶された暗証情報と入力された暗証情報とを比較して暗証情報が一致するか否かを判別する。暗証情報が一致しなければメール処理制御部３０はステップＳ１１３の処理に進みエラーを表示して処理を終了する。
【００５２】
ステップＳ１０８の判別処理で暗証情報が一致したと判別すると、ステップＳ１１０の処理に進み、メール表示制御部２８は全メールのメール一覧リスト（プライバシー設定対象のフラグ情報を持つメールを含む全てのメールの一覧リスト）を表示部２３に表示してステップＳ１１１の処理に進む。ステップＳ１１１の処理でメール表示制御部２８は、表示部２３に表示されたメール一覧リストからカーソル選択により選択されたメールの本文を表示部２３に表示して処理を終了する。
【００５３】
携帯電話１０をこのような構成にすれば、プライバシー設定の対象としたメールについて、メール一覧に表示する際に、暗証情報の一致を照合した上でプライバシー設定の対象であるメールをメール一覧に加えて表示するから、第３者に対して該当メールの存在を秘匿することができるようになる。
【００５４】
図５に示すフローチャートは、メール一覧を表示する際に、プライバシー設定の対象メールを含まないメール一覧を表示する場合のメール処理の手順を示すものであったが、メール一覧には全てのメールの一覧を表示し、メール一覧リストからプライバシー設定対象のメールが選択され、メール本文の表示要求があった時に暗証情報を照合するように携帯電話１０を構成することもできる。
【００５５】
図６は、携帯電話１０をそのような構成とした場合の携帯電話におけるメールの表示手順を示すフローチャートである。図６のステップＳ２０１〜ステップＳ２０３、ステップ
Ｓ２０４までの処理は図５のステップＳ１０１〜ステップＳ１０３、Ｓ１０４までの処理と同様である。
【００５６】
図６において、ステップＳ２０５でメール表示制御部２８は、メール一覧表示の要求があるか否かを判別する。メール一覧の要求がなければ、ステップＳ２０１の処理に戻り、メール一覧表示の要求があれば、メール表示制御部２８は、全てのメール一覧リストを表示部２３に表示する。表示されたメール一覧リストからカーソル選択により表示したいメール本文か選択されると、ステップＳ２０６の処理に進みメール処理制御部３０は、選択されたメールにフラグ情報が付加されているか否かを判別する。
【００５７】
選択されたメールにフラグ情報が付加されていなければ、ステップＳ２１０の処理に進み、メール表示制御部２８は選択されたメールの本文を表示部２３に表示して処理を終了する。
【００５８】
選択されたメールにフラグ情報が付加されていると判別すると、メール処理制御部３０はステップＳ２０７の処理で暗証情報の入力を要求し、ステップＳ２０８の処理に進み、暗証検出処理部３２はステップＳ２０８の処理でメール処理制御部３０に記憶された暗証情報と入力された暗証情報とを比較して暗証情報が一致するか否かを判別する。暗証情報が一致しなければメール処理制御部３０はステップＳ２１１の処理に進みエラーを表示して処理を終了する。
【００５９】
ステップＳ２０８の判別処理で暗証情報が一致したと判別すると、ステップＳ２０９の処理に進み、メール表示制御部２８は選択されたメールの本文を表示部２３に表示して処理を終了する。
【００６０】
以上、詳細に説明したように本発明にかかる通信装置によれば、プライバシー機能の対象として登録した特定相手からメールを識別し、利用者が登録した暗証情報を入力することにより該当するメール本文を表示できるようになる。
【図面の簡単な説明】
【００６１】
【図１】本発明の実施例にかかる送受信メールのグループ処理機能を有する通信装置の構成を示すブロック図である。
【図２】図１の通信装置の外観を示す図である。
【図３】受信メール記憶部に記憶された受信メールの一覧のデータ構成を示す図である。
【図４】送信メール記憶部に記憶された送信メールの一覧のデータ構成を示す図である。
【図５】本発明の実施例にかかる通信装置におけるメールの表示手順の一例を示すフローチャートである。
【図６】本発明の実施例にかかる通信装置におけるメールの表示手順の他の例を示すフローチャートである。
【符号の説明】
【００６２】
１０・・・携帯電話
１１・・・通話部
１２・・・マイク
１３・・・スピーカ
１４・・・無線部
２１・・・機能制御部
２２・・・主制御部
２３・・・表示部
２４・・・操作部
２５・・・受信メール記憶部
２６・・・送信メール記憶部
２７・・・グループ設定部
２８・・・メール表示制御部
３０・・・メール処理制御部
３１・・・特定文字列検出処理部
３２・・・暗証検出処理部
【図１】
2009258851.tif 000003
【図２】
2009258851.tif 000004
【図３】
2009258851.tif 000005
【図４】
2009258851.tif 000006
【図５】
2009258851.tif 000007
【図６】
2009258851.tif 000008